(57)【要約】【課題】  タグを用いて、簡便に物品の環境変化を把握できる外的要因変化感知検出システムを提供する。【解決手段】  外的要因の変化により共振周波数が変化するように設定された共振回路と該共振回路に接続されたＩＣチップを有する非接触ＩＣタグと、所定の外的要因の変化が起きた場合の前記ＩＣタグの所定の共振周波数を含む所定の周波数区間でタグの出力レベルを感知する検出器とを備えている。さらに、ＩＣチップの情報の読み出しを行いＩＣタグを個別識別する、検出読み出し機とを備えている。【選択図】  図３
2005135132.tif 000002
【特許請求の範囲】
【請求項１】
外的要因の変化により共振周波数が変化するように設定された共振回路を有する共振タグと、所定の外的要因の変化が起きた場合の前記タグの所定の共振周波数を含む所定の周波数区間で共振タグを感知する検出器とを備えていることを特徴とする外的要因変化感知検出システム。
【請求項２】
外的要因の変化により共振周波数が変化するように設定された共振回路と該共振回路に接続されたＩＣチップを有する非接触ＩＣタグと、所定の外的要因の変化が起きた場合の前記ＩＣタグの所定の共振周波数を含む所定の周波数区間でＩＣタグを感知する検出器とを備えていることを特徴とする外的要因変化感知検出システム。
【請求項３】
請求項２に記載の外的要因変化感知検出システムであって、ＩＣチップの情報の読み出しを行い、ＩＣタグを個別識別する読み出し機を備えていることを特徴とする外的要因変化感知検出システム。
【請求項４】
請求項１ないし３のいずれか１に記載の外的要因変化感知検出システムであって、上記外的要因の変化が、温度、湿度、水分、圧力、気体濃度、加速度、衝撃等のタグの環境変化であることを特徴とする外的要因変化感知検出システム。
【請求項５】
請求項４に記載の外的要因変化感知検出システムであって、タグの環境変化により共振回路の容量成分を変化させ、共振周波数を変化させるものであることを特徴とする外的要因変化感知検出システム。
【請求項６】
請求項５に記載の外的要因変化感知検出システムであって、タグの環境変化により共振回路の一部分を開放もしくは短絡させ、共振周波数を変化させるものであることを特徴とする外的要因変化感知検出システム。
【請求項７】
請求項１ないし６のいずれか１に記載の外的要因変化感知検出システムであって、上記外的要因変化による共振周波数の変化は不可逆的であり、共振回路内の不可逆的な特性を有する素子によるものであることを特徴とする外的要因変化感知検出システム。
【請求項８】
請求項１ないし７のいずれか１に記載の外的要因変化感知検出システムであって、タグが貼付された物品における外的要因変化の有無の識別、タグが貼付された物品の個別識別、区分けに用いられることを特徴とする外的要因変化感知検出システム。
【請求項９】
請求項１〜８のいずれかに記載の外的要因変化感知検出システムであって、変化前の基準周波数として、１３．５６ＭＨｚを用いることを特徴とする外的要因変化感知検出システム。
【請求項１０】
請求項２ないし９のいずれか１に記載の外的要因変化感知検出システムであって、所定の外的要因の変化が起きた場合のＩＣタグの所定の共振周波数を含む所定の周波数区間でＩＣチップの情報の読み出しを行い、ＩＣタグを個別識別する読み出し機、および/ または、変化前の基準周波数を含む所定の周波数区間で、ＩＣチップの情報の読み出しを行い、ＩＣタグを個別識別する読み出し機を、備えていることを特徴とする外的要因変化感知検出システム。
【発明の詳細な説明】
【技術分野】
【０００１】
本発明は、共振タグ、非接触ＩＣタグを用いた外的要因変化感知検出システムに関する。
【背景技術】
【０００２】
情報の機密性の面からＩＣカードが次第に普及されつつある中、近年では、読み書き装置（リーダライタ）と接触せずに情報の授受を行う非接触型のＩＣカードが提案され、中でも、外部の読み書き装置との信号交換を、あるいは信号交換と電力供給とを電磁波により行う方式のものが実用化されつつある。
そして、データを搭載したＩＣを、アンテナコイルと接続した、シート状ないし札状の非接触式のＩＣタグが、近年、種々提案され、商品や包装箱等に付け、万引き防止、物流システム、商品管理等に利用されるようになってきた。
勿論、ＩＣを持たない単なる共振タグも物品の存在感知に用いられている。
【０００３】
上記ＩＣを持たない単なる共振タグやＩＣタグは、いずれも、物品の存在感知や、物品の識別を行うもので、外的要因の変化をとらえるものではない。
個別に設定した共振周波数を持つ共振タグの場合も、物品の存在感知や、物品の識別を行うもので、外的要因の変化をとらえるものではない。
物品の外的要因である温度の変化を把握するために、たとえば、温度センサとＣＰＵ、メモリと電池を内蔵したボタン型の温度モニタデバイスの使用も考えられるが、センサ、ＣＰＵ、メモリ、電池を内蔵するため１ケ数千円と高価で、内蔵電池で動くため寿命が短い。
また、温度変化により色変化するサーモラベルのようなものがあるが、自動で個別識別する機能はなく、ひとつひとつ目視による確認が必要であり、簡便に検出することができない。
このように、従来、タグは、物品の存在感知や物品の識別を行うために専ら用いられ、物品の温度等環境の変化を把握するためには、温度モニタデバイスのように高価であったり、あるいは、サーモラベルのように扱いに手間がかかるため、物品の環境変化を把握するためには用いられていなかった。
尚、共振タグの周波数識別方法としては、従来から、特開２０００- ４９６５５号公報にも記載のように、ディップメーター方式とエコー波感知方式等が知られている。
【特許文献１】特開２０００- ４９６５５号公報
【発明の開示】
【発明が解決しようとする課題】
【０００４】
上記のように、従来、タグは、物品の存在感知や物品の識別を行うために専ら用いられ、物品の温度等環境の変化を把握するためには用いられていなかったが、最近では、タグを用いて、簡便に物品の環境変化を把握できる方法が求められるようになってきた。
本発明は、これに対応するもので、簡便に物品の環境変化を把握するために、タグを用いた外的要因変化感知検出システムを提供しようとするものである。
【課題を解決するための手段】
【０００５】
本発明の外的要因変化感知検出システムは、外的要因の変化により共振周波数が変化するように設定された共振回路を有する共振タグと、所定の外的要因の変化が起きた場合の前記タグの所定の共振周波数を含む所定の周波数区間で共振タグを感知する検出器とを備えていることを特徴とするものである。
あるいは、本発明の外的要因変化感知検出システムは、外的要因の変化により共振周波数が変化するように設定された共振回路と該共振回路に接続されたＩＣチップを有する非接触ＩＣタグと、所定の外的要因の変化が起きた場合の前記ＩＣタグの所定の共振周波数を含む所定の周波数区間でＩＣタグを感知する検出器とを備えていることを特徴とするものであり、ＩＣチップの情報の読み出しを行い、ＩＣタグを個別識別する読み出し機を備えていることを特徴とするものである。
尚、ここで、外的要因の変化が起きた場合の共振タグあるいはＩＣタグの所定の共振周波数とは、基準の状態（通常状態）の共振周波数とは大きく異なる周波数（異常状態）を言う。
基準状態の共振周波数を、ＩＳＯ／ＩＥＣ１５６９３規格の近傍型に準じる１３．５６ＭＨｚとしておくと、システムの設計をより容易とすることができる。
異常状態の共振周波数を盗難防止用共振タグに用いられる周波数帯域とした場合は、システムの設計をより容易とすることができる
また、共振周波数を含む所定の周波数区間とは、共振周波数からずれても、共振回路の共振効果があり検出できる許容の周波数区間を意味するもので、ここでは、以下、このような検出する周波数に許容があることを明示しないで表現することもある。
例えば、「共振周波数を含む所定の周波数区間で感知する」ことを、ここでは、単に「共振周波数と同じ周波数で感知する」とも言う。
また、ここで、共振周波数を含む所定の周波数区間で共振タグ（ＩＣタグ）を感知する検出器としては、一般には、共振タグ（ＩＣタグ）に電磁波を送信し、その応答の電磁波の強度を、共振周波数と同じ周波数で、検出し、得られる検出器の出力が、共振タグ（ＩＣタグ）の共振回路の共振時におけるレベルのものか否かを把握するものが挙げられる。      
【０００６】
そして、上記のいずれかの外的要因変化感知検出システムであって、上記外的要因の変化が、温度、湿度、水分、圧力、気体濃度、加速度、衝撃等のタグの環境変化であることを特徴とするものである。
また、上記の外的要因変化感知検出システムであって、タグの環境変化により共振回路の容量成分を変化させ、共振周波数を変化させるものであることを特徴とするものであり、特に、タグの環境変化により共振回路の一部分を開放もしくは短絡させ、共振周波数を変化させるものであることを特徴とするものである。
【０００７】
また、上記いずれかの外的要因変化感知検出システムであって、上記外的要因変化による共振周波数の変化は不可逆的であり、共振回路内の外的要因変化に対して不可逆的な特性の変化を有する素子によるものであることを特徴とするものである。
また、上記いずれかの外的要因変化感知検出システムであって、タグが貼付された物品における外的要因変化の有無の識別、タグが貼付された物品の個別識別、区分けに用いられることを特徴とするものである。
また、外的要因変化があった物品となかった物品の区分けおよび個別識別、管理情報書き換えなど用いられることを特徴とするものである。
また、上記いずれかの外的要因変化感知検出システムであって、変化前の基準周波数として、１３．５６ＭＨｚを用いることを特徴とするものである。
また、請求項２ないし９のいずれか１に記載の外的要因変化感知検出システムであって、所定の外的要因の変化が起きた場合のＩＣタグの所定の共振周波数を含む所定の周波数区間でＩＣチップの情報の読み出しを行い、ＩＣタグを個別識別する読み出し機、および/ または、変化前の基準周波数を含む所定の周波数区間で、ＩＣチップの情報の読み出しを行い、ＩＣタグを個別識別する読み出し機を、備えていることを特徴とするものである。
尚、ここで、Ａおよび/ またはＢとは、Ａ、Ｂのうちいずれか１、あるいは両方の場合を含む。
【０００８】
本発明の外的要因変化感知検出システムに用いられるタグは、外的要因の変化により共振周波数が変化するように設定された共振回路を有することを特徴とするものである。
そして、上記のタグであって、共振回路に接続されたＩＣチップを有する非接触ＩＣタグであることを特徴とするものである。
そしてまた、上記のいずれかに記載のタグであって、上記外的要因の変化が、温度、湿度、水分、圧力、気体濃度、加速度、衝撃等の環境変化であることを特徴とするものであり、環境変化により共振回路の容量成分を変化させ、共振周波数を変化させるものであることを特徴とするものである。
そして、セラミックコンデンサを、環境変化により共振回路の容量成分を変化させる素子として用いることを特徴とするものである。
【０００９】
（作用）
本発明の外的要因変化感知検出システムは、このような構成にすることにより、タグを用いて、簡便に物品の環境変化を把握できる方法を実施できる外的要因変化感知検出システムの提供を可能とした。
詳しくは、外的要因の変化により共振周波数が変化するように設定された共振回路を有するタグと、前記タグの変化した共振周波数を含む所定の周波数区間でタグを感知する検出器とを備えている場合は、少なくとも外的環境が変化したタグを検出することができ、これより、そのタグが添付されている物品が外的環境の変化を受けていることを判断できるものとしている。
また、外的要因の変化により共振周波数が変化するように設定された共振回路と該共振回路に接続されたＩＣチップを有する非接触ＩＣタグと、前記ＩＣタグの変化した共振周波数を含む所定の周波数区間でＩＣタグを検知し、且つ、ＩＣチップの情報の読み出しを行いＩＣタグを個別識別する、検出読み出し機とを備えている場合は、外的環境が変化したタグを検出することができ、更に、そのタグのＩＣチップの保持する情報を把握でき、これにより、そのタグが添付されている物品が外的環境の変化を受けていると判断でき、且つ、そのタグが添付されている物品の個別情報を把握することができるものとしている。
したがって、タグが添付されている物品が、外的環境の変化を受けているか否かを判別でき、あるいは、グが添付されている物品が、外的環境の変化を受けているか否かを判別できるとともに、その物品の個別情報を把握でき、外的環境の変化を受けた物品と受けなかった物品とを識別、区分けをすることを可能としている。
外的要因の変化として、温度の他、湿度、水分、圧力、気体濃度、加速度、衝撃等のタグの環境変化を挙げられる。
具体的には、タグの環境変化により共振回路の容量成分を変化させ、共振周波数を変化させるものが挙げられる。
【００１０】
本発明の外的要因変化感知検知システムにおいては、外的要因の変化に対する共振周波数の変化が可逆的であると、タグの近くに、タグの変化した共振周波数を含む所定の周波数区間で、タグを感知する検出器をあるいは検出読み出し機を配している場合には、所定の外的要因の変化を連続あるいは、周期的、断続的に感知することができ、所望の外的要因の変化を感知し、感知した時点で判別、区分け、認識等ができる。
あるいは、ＩＣタグの場合には、所望の外的要因の変化をその変化時にメモリに記憶して、その後に、記憶したデータを判別、区分けを行うこともできる。
しかし、タグの近くに検出器あるいは検出読み出し機がなく、タグをつけ物品を検出器あるいは検出読み出し機まで移動して、外的要因の変化を受けたか否かを調べる場合には、物品が外的要因の変化を受けたか否かを正確に知ることはできない。
【００１１】
これに対して、タグの近くに検出器あるいは検出読み出し機がなく、タグをつけ物品を検出器あるいは検出読み出し機まで移動して、外的要因の変化を受けたか否かを調べる場合には、外的要因変化が履歴に残るように、外的要因変化の変化に対して周波数が不可逆的な変化を示す不可逆素子を使用したタグを用いる。
たとえば、コンデンサの誘電体の組成を工夫することにより、温度に対応して誘電体自体を変化させることにより、その容量変化を温度に対し不可逆的にすることができる。
具体的な例としては、セラミックコンデンサを、温度変化により共振回路の容量成分を変化させる素子として挙げられるが、これは、セラミックコンデンサの容量変化が不可逆的な温度履歴を示す範囲を利用するものである。
また、回路の開放、短絡を利用して共振周波数の変化を誘発させるためには、温度ヒューズにような不可逆的な素子を用いることができる。
【００１２】
本発明に用いられるタグは、前述のような構成にすることにより、タグを用いて、上記本発明の、簡便に物品の環境変化を把握できる外的要因変化感知検出システムの提供を可能とした。
【発明の効果】
【００１３】
本発明は、上記のように、タグを用いて、簡便に物品の環境変化を把握できる外的要因変化感知検出システムの提供を可能とした。
【発明を実施するための最良の形態】
【００１４】
本発明の実施の形態例を挙げて図に基づいて説明する。
図１（ａ）は本発明の外的要因変化感知検出システムに用いられるタグの第１の例の概略図で、図１（ｂ）はその共振回路を示した図で、図２（ａ）は本発明の外的要因変化感知検出システムに用いられるタグの第２の例の概略図で、図２（ｂ）はその共振回路を示した図で、図３は本発明の外的要因変化感知検出システムの実施の形態の１例を示した図で、図４は共振周波数の変化を説明するための周波数特性図である。
図１〜図４中、１２０は外的要因変化により容量の変化する素子（セラミックコンデンサ等）、１３０はアンテナコイル、１３１、１３２は端子部、１３５はコイル成分、１４０は接続配線部、１５０は絶縁性基材、２１０はＩＣチップ、２２０は外的要因変化により容量の変化する素子（セラミックコンデンサ等）、２３０はアンテナコイル、２３５はコイル成分、２４０はかしめ接続部、２４５は接続配線部、２５０は絶縁性フィルム、３１０は保管庫（冷凍庫）、３２０は異常感知リーダ、３２１は処理部、３２２はゲート（電波送受信用ヘッドとも言う）、３３０は正常物品管理リーダ、３３１は処理部、３３２はゲート（電波送受信用ヘッドとも言う）、３４０は温度異常感知タグ、３４５は物品（被検査物とも言う）、３４５Ａは良品、３４５Ｂは不良品、３５０は電波、３６０は搬送ベルトである。
【００１５】
先ず、本発明の外的要因変化感知検出システムに用いられるタグの第１の例を図１に基づいて説明する。
第１の例は、図１（ａ）に示すように、アンテナコイル１３０に、その容量成分が、使用温度範囲で可逆的に温度依存性を示す外的要因変化により容量の変化する素子（セラミックコンデンサ等）１２０を直列に接続した、図１（ｂ）に示す回路の共振タグである。  アンテナコイル１３０、外的要因変化により容量の変化する素子１２０は絶縁性フィルム１５０の一面に配され、端子部１３１とアンテナコイルの外側とは、接続配線部１４０で接続されている。
また、外的要因変化により容量の変化する素子１２０は端子部１３１と端子部１３２間に配されている。
温度の変化により、外的要因変化により容量の変化する素子１２０はその容量成分を変化させるため、図１（ｂ）に示す回路で、容量成分のみが温度の変化にともない可逆的に変化し、その共振周波数が変化する。
例えば、図４に示すように、タグの周波数特性は、温度Ｔ１のｆ１に共振周波数を持つ周波数特性から、温度Ｔ２のｆ２に共振周波数を持つ周波数特性へと変化する。
図４において、４１０は温度Ｔ１における周波数特性で、４２０は温度Ｔ２における周波数特性である。
この場合、充分に短かい周期で周波数ｆ１にてタグを感知するためのリーダと、充分に短かい周期で周波数ｆ２にてタグを感知するためのリーダとによりタグの読み出しを行うことにより、それぞれ、タグの温度がＴ１、Ｔ２にあるか否かを知ることができる。
したがって、仮に、一方の温度Ｔ１を基準の温度状態のタグの温度とし、他方の温度Ｔ２を所定の異常時のタグの温度とすれば、充分に短かい周期で周波数ｆ２にてタグを感知することによりタグの異常温度状態の有無を判別することができ、これより、このようなタグをつけた物品の温度変化の有無も判別することができる。
このように、第１の例のタグは、タグの異常温度状態の有無、温度変化の有無を共振周波数の変化としてとらえることができるものである。
尚、通常は基準の温度状態では、ＩＳＯ／ＩＥＣ１５６９３規格の近傍型に準じて、共振周波数を１３．５６ＭＨｚとしておく。
【００１６】
接続配線部１４０としては、アンテナコイル１３０上で絶縁材を介して、導電性層を形成して、あるいはワイヤによりアンテナコイル１３０の外側と端子部１３１とを電気的に接続したものや、絶縁性基材１５０のアンテナコイル形成面側でない面に接続用配線部を設け、これとアンテナコイル１３０の外側とを、および端子部１３１とをかしめ接続したもの（図２（ａ）のかしめ接続部２４０、２４１、接続配線部２４５の接続を参照）が挙げられる。
絶縁性基材１５０としては、ＰＥＴ（ポリエチレンテレフタレート）、ポリプロピレン（ＰＰ）、ポリエチレン、ＡＢＳ、スチレン、ポリイミド、ガラスエポキシ、ＰＥＴＧ、ポリカーボネート、紙、ＰＶＣ、またはアクリル等が挙げられるが、強度、耐熱、耐薬品性のあるＰＥＴ（ポリエチレンテレフタレート）ないしポリイミドが好ましい。
絶縁性基材１５０の厚さは、通常、２５μｍ〜２００μｍである。
アンテナコイル１３０を形成する金属材としては、Ｃｕ、Ａｌ等があるが、アンテナ配線の微細化、狭ピッチ化には、Ｃｕが好ましい。
電気特性からＣｕ、Ａｌの厚さは、それぞれ、１０〜５０μｍ、１５〜５０μｍが好ましい。
【００１７】
（第１の例のタグの変形例）
第１の例は、その容量が可逆的に温度依存性の外的要因変化により容量の変化する素子１２０を、外的要因としての温度の変化に依存してタグの共振周波数を変化させる素子として用いたものであるが、外的要因変化により容量の変化する素子としては、所定の温度変化の下で、温度変化に対し履歴を示して不可逆的な容量変化特性を示すものがある。
このような特性を示す外的要因変化により不可逆的に容量の変化する素子を用いたものを第１の例の変形例として挙げられる。
この変形例の場合は、温度変化の有無を、所定の容量変化履歴の容量変化の有無として感知することができるため、タグの異常温度に対応する周波数にて、充分に短かく周期的に、タグを感知するためのリーダによりタグの読み出しを行う必要はなく、少なくとも所望の時に、タグの異常温度に対応する周波数にてタグ感知するためのリーダとによりタグの読み出しを行えばよい。
また、不可逆的に容量変化を起こす素子はコンデンサ単独である必要はなく、ヒューズ等を併用しても良い。
【００１８】
次に、本発明の外的要因変化感知検出システムに用いられるタグの第２の例を図２に基づいて説明する。
第２の例は、図２（ａ）に示すように、アンテナコイル２３０に、その容量成分が温度依存性を示す外的要因変化により容量の変化する素子（セラミックコンデンサ等）２２０とＩＣチップ２１０とを並列にして、これらを直列に接続した、図２（ｂ）に示す回路の非接触型のＩＣタグである。
アンテナコイル２３０、外的要因変化により容量の変化する素子２２０、ＩＣチップ２１０は絶縁性フィルム２５０の一面に配され、これらは、アンテナコイル２４０の外側と、かしめ接続部２４０、２４１にてかしめ接続されている。
尚、接続配線部２４５は、絶縁性フィルム２５０のアンテナコイル形成面側でない面に設けられており、これをかしめ接続部２４０、２４１にて、それぞれ、接続して、図２（ｂ）に示す回路を形成している。
第２の例の場合も、第１の例と同様、温度の変化により、外的要因変化により容量の変化する素子２２０はその容量成分を可逆的に変化させるため、図２（ｂ）に示す回路で、容量成分のみが変化し、その共振周波数が変化する。
温度変化前の基準温度状態での動作の共振周波数をｆ１２、温度変化後の所望の温度（異常温度のこと）での共振周波数をｆ２２とすれば、第１の例の場合と同様、タグの前記所望の温度変化の感知を、充分に短かい周期で周波数ｆ２２にてタグ感知するリーダによりタグの読み出しを行うことにより、共振周波数の変化としてとらえることができる。
このように、第２の例のタグも、タグの所定温度変化の有無を共振周波数の変化としてとらえることができるものである。
尚、第２の例の場合も、通常、基準の温度状態では、ＩＳＯ／ＩＥＣ１５６９３規格の近傍型に準じて、共振周波数を１３．５６ＭＨｚとしておく。
また、ＩＣチップ１１０は、通常、大きさ１．０ｍｍ×０．９ｍｍ角、厚さ約１５０μｍ程度のものが用いられ、それ以外の各部については、第１の例と同様のものが使用できる。
【００１９】
第２の例のものは、ＩＣチップ２１０を備えていることにより、温度変化の有無の他に、メモリからその物品情報をより詳しく知ることができる。
また、第２の例のタグは、ＩＣチップ２１０を備えていることにより、温度変化の有無を、そのメモリに蓄積させることも可能である。
【００２０】
（第２の例のタグの変形例）
第２の例は、その容量が可逆的に温度依存性の外的要因変化により容量の変化する素子２２０を、外的要因としての温度の変化に依存してタグの共振周波数を変化させる素子として用いたものであるが、外的要因変化により容量の変化する素子として、所定の温度変化の下で、温度変化に対し履歴を示して不可逆的な容量変化特性を示すものを用いたタグを第２の例の変形例として挙げられる。
この変形例の場合は、温度変化の有無を、所定の容量変化履歴の容量変化の有無として感知することができるため、タグの異常温度に対応する周波数ｆ２２にて、充分に短かい周期で、タグを感知するためのリーダによりタグの読み出しを行う必要はなく、少なくとも所望の時に、タグの異常温度に対応する周波数ｆ２２にてタグ感知するためのリーダとによりタグの読み出しを行えばよい。
【００２１】
上記、第１の例のタグ、第２の例のタグは、いずれも、タグの温度変化をその共振回路の共振周波数の変化として把握するものであるが、湿度、水分、圧力、気体濃度、加速度、衝撃等の環境変化により、回路の周波数特性を変化させ、これらの変化を共振回路の共振周波数の変化として把握してもよい。
実際には、これらの環境の変化を回路の容量成分の変化としてとらえ、これから、共振周波数の変化として把握するのが容易であろう。
例えば、容量成分を形成するための誘電体素材に、温度変化に伴い誘電体素材自体を変化させるものを混入あるいは分散させる。
【００２２】
次いで、本発明の外的要因変化感知検出システムの実施の形態の１例を、図３に基づいて、簡単に説明する。
本例は、図２に示す第２の例のＩＣタグにおいて、外的要因変化により容量の変化する素子（セラミックコンデンサ等）２２０を、所定の温度範囲の下で、不可逆的な容量変化特性を示す外的要因変化により容量の変化する素子に代えた第２の例の変形例のＩＣタグを使用したもので、個別に箱体等に入れ包装してＩＣタグをつけた生鮮食物等の物品３４５を、冷凍庫である保管庫３１０に多数保管しておき、必要時に１個づつ取り出し使用する際、各ＩＣタグの共振周波数の変化の有無を温度変化の有無としてとらえ、これにより、物品の所定の温度変化有無を判別し、所定の温度変化が無かったものを良品３４５Ａ、所定の温度変化が有ったものを良品３４５Ｂとして、区分けするシステムである。
【００２３】
本システムの動作の１例を、以下簡単に説明する。
冷凍庫である保管庫３１０に物品３４５を保管しておき、使用する際に、搬送ベルト３６０に載せ、１個づつ取り出し、順にゲート３２２を通過させ、共振周波数の変化の有無を異常感知リーダ３２０にて確認する。
異常感知リーダ３２０は、所定の温度変化があった場合の共振周波数である第１の周波数ｆ３２にて、通信ができるか否かで、できる場合を所定の温度変化があったとし、できなかった場合を所定の温度変化がなかったとするものである。
異常感知リーダ３２０は、第１の周波数ｆ３２（図４のｆ２に相当）にて、通信を行う電波送受信用ヘッドであるゲート３２２と処理部３２１を備え、結果を表示するディスプレイを設けたものがここでは使用されている。
異常感知リーダ３２０にて温度変化有りと判断された物品は、区分けされ、不良品３４５Ｂとして回収される。
所定の温度変化無しと判断された良品３４５Ａは、そのまま進み、さらに、ゲート３３２を通過することにより、正常物品管理リーダ３３０により、個別情報の確認、関連処理が行われる。
正常物品管理リーダ３３０は、所定の温度変化が無かった場合の共振周波数である第２の周波数ｆ３１（図４のｆ１に相当）にて通信を行う電波送受信用ヘッドであるゲート３３２と処理部３３１を備え、ここでも確認、処理等の結果を表示するディスプレイを設けたものがここでも使用されている。
このようにして、所定の温度変化を受けなかった良品３４５Ａのみを判別し、区分けして管理することができる。
【００２４】
本例の変形例としては、本システムにおいて、タグとして、先に述べた第１の例で示した、外的要因の変化に対し履歴を示して不可逆的な容量変化特性を示す素子を使用した
タグを用いた場合のシステムが挙げられる。
この変形例の場合は、タグはＩＣチップを持たないため、各物品の所定の温度変化の有無の判別と、それにもとづく区分けはできるが、各物品の個別情報の把握や、これに基づく処理を行うことは、ごく単純な場合を除いてほとんどできない。
【００２５】
別の外的要因変化感知検出システムとしては、第１の例のタグや第２の例のタグを用い、通常使用温度とは異なる所定の異常温度におけるタグの共振周波数と同じ周波数で、所定の短い周期で、タグを感知するリーダによりタグの読み出しを行うことにより、共振周波数の変化の有無をとらえ、これにより、物品の判別、区分けを行う形態のシステムも挙げられる。
本発明の外的要因変化感知検出システムは、上記に限られるものではない。
例えば、外的要因変化により容量の変化する素子を、単に外的要因としての温度の変化に依存してタグの共振周波数を変化させる素子として用いた場合、先にも述べた通り、所望の温度変化の感知、即ち、異常温度の感知を、充分に短かい周期で周波数にてタグを感知するリーダによりタグの読み出しを行うことにより、共振周波数の変化としてとらえることができるが、異常温度を２以上とし、各温度に対応するタグの共振周波数を、それぞれ持つ、複数の異常検知用のリーダを用いて、タグと通信し、温度異常の有無を感知検出しても良い。
この場合は、より精確に温度変化を把握することができる。
【図面の簡単な説明】
【００２６】
【図１】図１（ａ）は本発明の外的要因変化感知検出システムに用いられるタグの第１の例の概略図で、図１（ｂ）はその共振回路を示した図である。
【図２】図２（ａ）は本発明の外的要因変化感知検出システムに用いられるタグの第２の例の概略図で、図２（ｂ）はその共振回路を示した図である。
【図３】本発明の外的要因変化感知検出システムの実施の形態の１例を示した図である。
【図４】共振周波数の変化を説明するための周波数特性図である。
【符号の説明】
【００２７】
１２０            外的要因変化により容量の変化する素子（セラミックコンデンサ等）１３０            アンテナコイル
１３１、１３２    端子部
１３５            コイル成分
１４０            接続配線部
１５０            絶縁性絶縁性基材
２１０            ＩＣチップ
２２０            外的要因変化により容量の変化する素子（セラミックコンデンサ等）２３０            アンテナコイル
２３５            コイル成分
２４０            かしめ接続部
２４５            接続配線部
２５０            絶縁性フィルム
３１０            保管庫（冷凍庫）
３２０            異常感知リーダ
３２１            処理部
３２２            ゲート（電波送受信用ヘッドとも言う）
３３０            正常物品管理リーダ
３３１            処理部
３３２            ゲート（電波送受信用ヘッドとも言う）
３４０            温度異常感知タグ
３４５            物品（被検査物とも言う）
３４５Ａ          良品
３４５Ｂ          不良品
３５０            電波
３６０            搬送ベルト
【図１】
2005135132.tif 000003
【図２】
2005135132.tif 000004
【図３】
2005135132.tif 000005
【図４】
2005135132.tif 000006